(57)【要約】【課題】  棚板が反っても、従来の煩雑な削り作業や整調作業を行うことなく、鍵盤を所定の高さに調整することができる鍵盤楽器の鍵盤支持装置を提供する。【解決手段】  鍵盤２１を載置し、支持する鍵盤楽器の鍵盤支持装置Ａであって、木質板で構成された棚板１上に設けられた筬２によって、複数の鍵２１ａ，２１ｂを有する鍵盤２１を支持し、この筬２を載置する載置部３が、棚板１に上下方向に移動自在に設けられている。また、棚板１に、載置部３の高さを調整する調整機構６，６，７が設けられている。【選択図】  図３
2006285102.tif 000002
【特許請求の範囲】
【請求項１】
木質板で構成された棚板と、
当該棚板上に設けられ、複数の鍵を有する鍵盤を支持する筬と、
前記棚板に上下方向に移動自在に設けられるとともに、前記筬を載置する載置部と、
前記棚板に設けられ、前記載置部の高さを調整する調整機構と、
を備えることを特徴とする鍵盤楽器の鍵盤支持装置。
【請求項２】
前記載置部は、前記棚板の前端部に設けられていることを特徴とする、請求項１に記載の鍵盤楽器の鍵盤支持装置。
【請求項３】
前記調整機構は、前記載置部の高さを前記鍵の並び方向の互いに異なる位置においてそれぞれ調整する複数の調整機構で構成されていることを特徴とする、請求項１または２に記載の鍵盤楽器の鍵盤支持装置。
【請求項４】
前記調整機構は、前記載置部に上下方向に移動不能に連結されるとともに、前記棚板に上下方向に進退自在にねじ込まれた調整ねじを有することを特徴とする、請求項１ないし３のいずれかに記載の鍵盤楽器の鍵盤支持装置。
【請求項５】
前記載置部は、前記鍵の並び方向に延びる金属板で構成されていることを特徴とする、請求項１ないし４のいずれかに記載の鍵盤楽器の鍵盤支持装置。
【請求項６】
前記載置部に前後方向の複数の個所においてスライド自在に係合し、前記載置部の上下方向の移動を案内するガイドをさらに備えることを特徴とする、請求項１ないし５のいずれかに記載の鍵盤楽器の鍵盤支持装置。
【発明の詳細な説明】
【技術分野】
【０００１】
本発明は、鍵盤を載置し、支持する鍵盤楽器の鍵盤支持装置に関する。
【背景技術】
【０００２】
一般に、鍵盤楽器、例えばグランドピアノの棚板は、上下両面が平らな木質板で構成されるとともに、側板の左右前部の下面間に水平に渡され、これに固定されており、この棚板の上面には、筬を介して、鍵盤、アクションやハンマーが載置され、支持されている。また、棚板は、木製で左右方向に長いので、吸湿や鍵盤などの重量に起因して、左右方向に沿って反りやすい。特に、棚板の前部は、補強用の棚板補強やピアノの脚などが設けられていないので、左右方向に沿って反りやすく、その場合には、中音域において、棚板に載置された鍵の沈み深さが大きくなるなどのために、音域によってタッチ感がばらつき、スムーズな演奏が行えなくなる場合がある。このため、棚板が反った場合、棚板の上面を平らにするための削り作業を行うとともに、鍵の高さ、鍵とアクションとの高さ関係やそれらの働きを整える整調作業が行われている。
【０００３】
このため、上記のような棚板の反りを防止する鍵盤支持装置として、例えば特許文献１に開示されたものが知られている。この鍵盤支持装置では、棚板の下面の前部に、左右方向に延びる補強用の補強金具が埋め込まれており、それにより、棚板の反りを防止するようにしている。
【０００４】
しかし、上記従来の鍵盤支持装置では、補強金具が棚板の下面にのみ埋め込まれているので、棚板を十分に補強できず、棚板の上面側が部分的に反るおそれがある。その場合には、上述した非常に煩雑な削り作業や整調作業を行わなければならなくなってしまう。
【０００５】
本発明は、以上のような課題を解決するためになされたものであり、棚板が反っても、従来の削り作業や整調作業を行うことなく、鍵盤を所定の高さに容易に調整することができる鍵盤楽器の鍵盤支持装置を提供することを目的とする。
【０００６】
【特許文献１】特開２００１−３１２２７１号公報
【発明の開示】
【課題を解決するための手段】
【０００７】
上記の目的を達成するため、請求項１に係る鍵盤楽器の鍵盤支持装置は、木質板で構成された棚板と、棚板上に設けられ、複数の鍵を有する鍵盤を支持する筬と、棚板に上下方向に移動自在に設けられるとともに、筬を載置する載置部と、棚板に設けられ、載置部の高さを調整する調整機構と、を備えることを特徴とする。
【０００８】
この鍵盤楽器の鍵盤支持装置によれば、木質板で構成された棚板上に筬が設けられ、この筬に鍵盤が支持されている。また、筬は載置部に載置されており、この載置部は、棚板に上下方向に移動自在に設けられており、載置部の高さが調整機構によって調整される。したがって、棚板が反った場合でも、載置部の高さを調整することによって、載置部の上に載置される筬の高さ、さらには筬に支持される鍵盤の高さを、所定の高さに調整することができる。したがって、棚板が反った場合でも、鍵盤と他の部品との高さ関係やそれらの働きを良好に維持でき、それにより、従来行われていた煩雑な削り作業や整調作業が不要になる。
【０００９】
請求項２に係る発明は、請求項１に記載の鍵盤楽器の鍵盤支持装置において、載置部は、棚板の前端部に設けられていることを特徴とする。
【００１０】
この構成によれば、載置部が棚板の前端部に設けられている。前述したように、棚板の前端部は特に反りやすいので、そのような前端部に載置部を設け、その高さを調整することによって、請求項１の効果をより有効に得ることができる。
【００１１】
請求項３に係る発明は、請求項１または２に記載の鍵盤楽器の鍵盤支持装置において、調整機構は、載置部の高さを鍵の並び方向の互いに異なる位置においてそれぞれ調整する複数の調整機構で構成されていることを特徴とする。
【００１２】
この構成によれば、複数の調整機構によって、載置部の高さを、鍵の並び方向の互いに異なる位置においてそれぞれ調整する。これにより、載置部の高さを、鍵の並び方向できめ細かく調整することによって、鍵盤と他の部品との高さ関係やそれらの働きをより良好に維持できる。
【００１３】
請求項４に係る発明は、請求項１ないし３のいずれかに記載の鍵盤楽器の鍵盤支持装置において、調整機構は、載置部に上下方向に移動不能に連結されるとともに、棚板に上下方向に進退自在にねじ込まれた調整ねじを有することを特徴とする。
【００１４】
この構成によれば、調整ねじを棚板に上下方向に進退させると、載置部がこの調整ねじと一緒に上下方向に移動し、それにより、載置部の高さが調整される。このように、構成が比較的単純な調整ねじを用いて、載置部の高さの調整を、容易にかつ無段階で精度良く行うことができる。
【００１５】
請求項５に係る発明は、請求項１ないし４のいずれかに記載の鍵盤楽器の鍵盤支持装置において、載置部は、鍵の並び方向に延びる金属板で構成されていることを特徴とする。
【００１６】
この構成によれば、載置部が鍵の並び方向に延びる金属板で構成されており、その剛性が高いので、載置部自身の撓みが小さく、したがって、載置部の高さをさらに容易に調整することができる。また、木材と異なり、反りなどの経時的な変形も非常に小さいので、調整した載置部の高さを維持することができる。
【００１７】
請求項６に係る発明は、請求項１ないし５のいずれかに記載の鍵盤楽器の鍵盤支持装置において、載置部に前後方向の複数の個所においてスライド自在に係合し、載置部の上下方向の移動を案内するガイドをさらに備えることを特徴とする。
【００１８】
この構成によれば、載置部の前後方向の複数の個所において、ガイドがスライド自在に係合しており、載置部の高さを調整するために載置部を上下方向に移動させる際、その移動をこのガイドが案内するので、載置部が前後方向に傾くのを防止することができる。
【発明を実施するための最良の形態】
【００１９】
以下、図面を参照しながら、本発明の一実施形態による鍵盤楽器の鍵盤支持装置について説明する。図１は、この鍵盤支持装置Ａを、その上に載置された鍵盤２１などとともに示している。
【００２０】
図１および図２に示すように、鍵盤支持装置Ａは、鍵盤２１などを支持する棚板１と、棚板１上に設けられ、鍵盤２１を支持する筬２と、棚板１に上下方向に移動自在に設けられ、筬２を載置する載置部３と、載置部３の高さを調整するための左右の調整機構６，６および中央の調整機構７とを備えている。棚板１は、ラワン合板などの木質板で構成され、図２に示すように、左右方向に長い横長の矩形状に形成されている。また、棚板１は、側板（図示せず）の左右前部の下面間に水平に渡され、側板に固定されている。
【００２１】
筬２は、スプルスなどの複数の木材を井桁状に組み立てたものであり、左右方向に延びる筬前２ａ、筬中２ｂおよび筬後２ｃなどで構成されている。筬中２ｂには、多数のバランスピン２５が立設されており、これらのバランスピン２５に、白鍵２１ａおよび黒鍵２１ｂが、左右方向に並んだ状態で、揺動自在に支持されている。
【００２２】
また、図１に示すように、棚板１には、多数の白鍵２１ａおよび黒鍵２１ｂから成る鍵盤２１、アクション２２やハンマー２３が、筬２を介して載置され、支持されている。離鍵状態では、白鍵２１ａおよび黒鍵２１ｂの後端部が、筬後２ｃに載置されている。白鍵２１ａおよび黒鍵２１ｂの前端部（図１の右端部）は、離鍵状態では筬前２ａに対向し、押鍵時には筬前２ａに当接する。
【００２３】
また、筬２の左右端部には、ブラケット２９，２９がそれぞれ取り付けられており（一方のみ図示）、これらのブラケット２９，２９に、アクション２２のウィッペン２６を支持するウィッペンレール２７や、ハンマー２３を支持するハンマーシャンクレール２８が設けられている。
【００２４】
載置部３は、棚板１の上面の前端部の所定位置に形成された収容凹部１ａに収容されている。この収容凹部１ａは、棚板１の左右方向の幅のほぼ全体にわたって延び、矩形状に形成され、所定の前後方向の幅および深さを有している。また、載置部３は、収容凹部１ａとほぼ同じサイズのベース板４と、その上面全体に貼り付けられた化粧板５で構成されている。ベース板４は、金属板、例えば鉄板で構成され、化粧板５は、例えばスプルースなどの単板で構成されており、この化粧板５上に筬前２ａが載置されている。
【００２５】
左右の調整機構６，６は、棚板１の前端部の左右の端部に設けられ、それぞれの位置において載置部３の高さを調整するものである（図２参照）。図３に示すように、各調整機構６は、載置部３のベース板４の下面に設けられた軸受け８と、その下側に設けられた鬼目ナット９と、鬼目ナット９にねじ込まれた調整ねじ１０と、上下のガイド１１，１２を有している。なお、図３では、便宜上、ハッチングを省略する。
【００２６】
軸受け８は、金属製の直方体状のものであり、ベース板４の前後方向の中央に一体に設けられ、下方に突出している。軸受け８の下面には、上下方向に延びる円柱状の挿入穴８ａが形成されている。軸受け８の前壁および後壁には、ねじ孔８ｂ，８ｂが互いに対向するように形成されており、各ねじ孔８ｂには、連結ねじ１３がねじ込まれている。
【００２７】
鬼目ナット９は、棚板１に形成された孔１ｂに、上下方向に延びるように設けられている。この孔１ｂは、収容凹部１ａに連なるように形成されており、その下端に連なるように、下方に開放する凹部１ｃが設けられている。
【００２８】
調整ねじ１０は、凹部１ｃを介して鬼目ナット９にねじ込まれており、軸受け８の挿入穴８ａに嵌合している。また、調整ねじ１０の上端部には、周方向に連続する周溝１０ａが形成されており、この周溝１０ａに連結ねじ１３，１３が係合している。また、軸受け８と収容凹部１ａの底面との間には、調整ねじ１０の軸部を取り囲むようにコイルばね１４が設けられている。
【００２９】
上ガイド１１は、前後一対で構成され、ベース板４の下面の前後の端部にそれぞれ取り付けられている。各上ガイド１１は、側面形状がＬ字形に形成されており、壁部１１ａが下方に延びている。下ガイド１２も前後一対で構成され、収容凹部１ａの底面の前後の端部にそれぞれ取り付けられている。各下ガイド１２は、側面形状がＬ字形に形成されており、壁部１２ａが上方に延びている。前後の上ガイド１１，１１は、その壁部１１ａおよび下ガイド１２の壁部１２ａを介して、前後の下ガイド１２，１２に上下方向にスライド自在に係合している。
【００３０】
以上の調整機構６の構成により、ドライバーで調整ねじ１０を回すと、調整ねじ１０は、棚板１に対して上下方向に移動する。また、軸受け８のねじ孔８ｂ，８ｂにねじ込まれるとともに、調整ねじ１０の周溝１０ａに係合する連結ねじ１３，１３によって、調整ねじ１０が軸受け８に回転可能かつ上下方向に移動不能に連結されているため、上下方向に移動する調整ねじ１０と一緒に載置部３が上下方向に移動する。これにより、調整ねじ１０を回すことによって、載置部３の高さを調整することができる。また、このときの載置部３の上下方向の移動は、上下のガイド１１，１２によって案内される。また、載置部３のガタツキは、コイルばね１４によって防止される。
【００３１】
前記中央調整機構７は、棚板１の前端部の中央に設けられている。図４に示すように（便宜上、ハッチングは省略）、この中央調整機構７の構成は、基本的に左右の調整機構６，６と同じであり、その相違点は、軸受け１５が単純な直方体状に形成されていることと、その下面に調整ねじ１６の上端が単純に当接していることのみである。したがって、左右の調整機構６，６によって載置部３の高さを調整した後、調整ねじ１６を回すことによって、載置部３の中央の撓みを矯正しながら、所定の高さに調整することができる。
【００３２】
以上のように、本実施形態によれば、棚板１が反った場合でも、３つの調整機構６，６，７で載置部３の高さを調整することによって、載置部３上に載置される筬前２ａの高さ、さらには筬２に支持される鍵盤２１の高さを、所定の高さに調整することができる。したがって、棚板１が反った場合でも、鍵盤２１とアクション２２やハンマー２３との高さ関係やそれらの働きを良好に維持でき、それにより、従来行われていた煩雑な削り作業や整調作業が不要になる。また、特に反りやすい棚板１の前端部において載置部３の高さを調整するので、上記の効果をより有効に得ることができる。さらに、調整機構６，６，７によって、載置部３の高さを、左右の端部および中央部においてきめ細かく調整することで、鍵盤２１とアクション２２やハンマー２３との高さ関係やそれらの働きをより良好に維持できる。また、調整ねじ１０によって載置部３の高さを調整するので、この調整を容易にかつ無段階で精度良く行うことができる。
【００３３】
さらに、載置部３のベース板４が金属板で構成されているので、載置部３自身の撓みが小さく、したがって、載置部３の高さをさらに容易に調整することができる。また、木材と異なり、経時的な変形も非常に小さいので、調整した載置部３の高さを維持することができる。さらに、互いにスライド自在に係合する前後の上ガイド１１，１１および下ガイド１２，１２によって、載置部３の上下方向の移動を案内するので、載置部３が前後方向に傾くのを防止することができる。また、左右方向に長い単一の載置部３を用いるので、複数の載置部３を用いる場合と比較して、その高さを一時に容易に調整することができる。
【００３４】
なお、本発明は、説明した実施形態に限定されることなく、種々の態様で実施することができる。例えば、実施形態では、載置部３として単一のものを用いたが、これを左右方向に分割して複数、設けてもよい。また、実施形態では、載置部３の高さの調整を、反りの生じやすい棚板１の前端部において行っているが、前端部以外の適当な部分において行ってもよい。例えば、筬中２ｂや筬後２ｃは、鍵２１ａ、２１ｂを直接的に支持または載置する部分であるので、これらの位置で載置部３の高さを調整することによって、本発明の効果をより有効に得ることができる。その他、ウィッペン２６およびハンマー２３を支持するブラケット２９，２９が載置される部分でもよい。
【００３５】
さらに、実施形態では、調整機構として左右および中央の計３つの調整機構６，６，７を用いたが、その数を増減することは任意である。また、実施形態では、調整機構６を、調整ねじ１０などで構成したが、この構成は、載置部３の高さを棚板１と独立して調整できるものであれば、任意である。さらに、本実施形態は、本発明をグランドピアノに適用した例であるが、本発明はこれに限らず、他の鍵盤楽器、例えばアップライトピアノなどに適用可能である。その他、本発明の趣旨の範囲内で、細部の構成を適宜、変更することが可能である。
【図面の簡単な説明】
【００３６】
【図１】本発明による鍵盤支持装置を鍵盤などとともに示す側面図の一部を破断した図である。
【図２】鍵盤支持装置の平面図である。
【図３】図１の部分拡大図である。
【図４】図２の線α−αに沿う断面図を筬などとともに示す図である。
【符号の説明】
【００３７】
Ａ  鍵盤支持装置
１  棚板
２  筬
３  載置部
６  調整機構
７  調整機構
１１  上ガイド
１２  下ガイド
２１  鍵盤
２１ａ  白鍵
２１ｂ  黒鍵
【図１】
2006285102.tif 000003
【図２】
2006285102.tif 000004
【図３】
2006285102.tif 000005
【図４】
2006285102.tif 000006